(57)【特許請求の範囲】
【請求項１】
釣り糸を前方に繰り出す電動リールであって、
第１側板及び第２側板を有するフレーム、前記第１側板及び第２側板の外側をそれぞれ覆う第１側カバー及び第２側カバー、前記フレームに設けられる釣り竿装着部、並びに電気回路を形成する基板を収納し前記フレームの前記釣り竿装着部と離反する側に載置可能なケース部材、を有するリール本体と、
前記第１側カバーに回転自在に装着されるハンドルと、
前記第１側板と前記第２側板の間に回転可能に設けられるスプールと、
前記リール本体に設けられ、前記スプールを回転駆動するモータと、
前記ケース部材に支持され、前記ケース部材の前記第１側カバー側に設けられ、前方側が後方側よりもハンドルから離反する方向に傾斜して移動する調整部材と、
前記調整部材の移動によって前記モータの出力を調整するモータ制御部と、を備え、
前記調整部材は、ハンドル側がハンドルから離反する側よりも大径に形成された円錐台形である、電動リール。
【請求項２】
前記調整部材は、前記ケース部材に回動可能に支持されている、請求項１に記載の電動リール。
【請求項３】
前記調整部材は、前記ケース部材によって全周が囲われる、請求項１又は２に記載の電動リール。
【請求項４】
前記調整部材は、前記ケース部材に支持される部分より幅の広い操作突起を有する、請求項１から３のいずれか１項に記載の電動リール。
【発明の詳細な説明】
【技術分野】
【０００１】
本発明は、電動リール、特に、電動リールの調整部材に関する。
【背景技術】
【０００２】
電動リール、特に小型の電動リールにおいて、レバー又は回転体の形態のモータ出力調整用の調整部材がリール本体に設けられる（例えば、特許文献１参照）。従来の電動リールは、電動リールを握る手の親指で操作しやすいようにするために、リール本体のハンドル装着側と反対側の上面に調整部材が設けられる。
【先行技術文献】
【特許文献】
【０００３】
【特許文献１】特開２００３−０９２９５９号公報
【発明の概要】
【発明が解決しようとする課題】
【０００４】
従来の電動リールでは、電動リールを握る手の親指で操作するために、調整部材をハンドル装着側と反対側に設けている。しかし、さらに小型の電動リールの場合、電動リールを握る手の親指の付け根に調整部材が配置されるため、調整部材を操作しにくい。
【０００５】
本発明の課題は、小型の電動リールの調整部材を、電動リールを握る手で操作しやすくすることにある。
【課題を解決するための手段】
【０００６】
本発明に係る電動リールは、釣り糸を前方に繰り出す。電動リールは、リール本体と、ハンドルと、スプールと、モータと、調整部材と、モータ制御部とを備える。リール本体は、フレーム、第１側カバー及び第２側カバー、釣り竿装着部、並びにケース部材、を有する。フレームは、第１側板及び第２側板を有する。第１側カバー及び第２側カバーは、第１側板及び第２側板の外側をそれぞれ覆う。釣り竿装着部は、フレームに設けられる。ケース部材は、電気回路を形成する基板を収納し、フレームの釣り竿装着部と離反する側に載置可能である。ハンドルは、第１側カバーに回転自在に装着される。スプールは、第１側板と第２側板の間に回転可能に設けられる。モータは、リール本体に設けられ、スプールを回転駆動する。調整部材は、ケース部材に支持され、ケース部材の第１側カバー側に、前方側が後方側よりもハンドルから離反する方向に傾斜して移動する。モータ制御部は、調整部材の移動によってモータの出力を調整する。調整部材は、ハンドル側がハンドルから離反する側よりも大径に形成された円錐台形である。
【０００７】
この電動リールでは、調整部材を移動させてモータの出力を調整する。調整部材は、前方側が後方側よりハンドルから離反する方向に傾斜して移動する。このため、調整部材が、電動リールを握った手の親指の指先によって操作しやすい位置に配置され、小型の電動リールの調整部材を、電動リールを握る手で操作しやすくなる。また、調整部材が、ハンドル側が大径の円錐台形であるので、親指の指先が調整部材に沿いやすくなる。このため、調整部材を、電動リールを握る手でさらに操作しやすくなる。
【０００８】
調整部材は、ケース部材に回動可能に支持されてもよい。この場合には、基板を含む電気部品が搭載されるケース部材に調整部材が回動可能に支持されるので、調整部材の回転位相をケース部材内で検出可能である。
【０００９】
調整部材は、ケース部材によって全周が囲われてもよい。
【００１０】
調整部材は、ケース部材に支持される部分より幅の広い操作突起を有してもよい。この場合には、傾斜して配置される調整部材のスプール軸方向の長さが長くなるのを抑えるために、調整部材の厚みを薄くしても、操作突起は調整部材のケース部材に支持される部分の厚みよりも長くなる。このため、操作突起を操作することによって電動リールを握る手で、調整部材をさらに操作しやすくなる。
【発明の効果】
【００１１】
本発明によれば、小型の電動リール調整部材を、電動リールを握る手で操作しやすくなる。
【図面の簡単な説明】
【００１２】
【図１】本発明の一実施形態による両軸受リールの斜視図。
【図２】両軸受リールの平面図。
【図３】図２の切断線III−IIIによる断面図。
【図４】図２の切断線IV−IVによる断面図。
【図５】調整部材の背面図。
【発明を実施するための形態】
【００１３】
図１から図４に示すように、本発明の一実施形態による電動リール１００は、前方に釣糸を繰り出すように構成される。電動リール１００は、リール本体１と、ハンドル２と、スプール４と、モータ５（図２及び図４参照）と、調整部材６と、スプール軸７と、クラッチ操作部材８と、モータ制御部９と、備える。
【００１４】
リール本体１は、フレーム１０と、フレーム１０の両側を覆う第１側カバー１１及び第２側カバー１２と、フレーム１０に設けられる釣り竿装着部１３と、ケース部材１４と、を有する。フレーム１０は、ハンドル２側の第１側板１０ａと、第１側板１０ａと間隔をあけて対向して配置される第２側板１０ｂと、第１側板１０ａと第２側板１０ｂとを連結する、複数の連結部１０ｃと、を有する。複数の連結部１０ｃは、リール本体１の前部、下部及び後部に配置される。前部の連結部１０ｃは筒状に形成され、内部にモータ５が収容される。第１側カバー１１は、第１側板１０ａの外側を覆う。第２側カバー１２は、第２側板１０ｂの外側を覆う。釣り竿装着部１３は、下側の連結部１０ｃに一体的に形成される。
【００１５】
ケース部材１４は、図４に示すように、フレーム１０の釣り竿装着部１３と離反する上側に載置可能である。ケース部材１４は、電気回路を形成する回路基板１５及びモータ制御部９を収納する。ケース部材１４は、図２に示すように、スプール４の前方で第１側板１０ａ及び第２側板１０ｂに載置されるとともに、第１側カバー１１側および第２側カバー１２側で後方に延びて平面視扁平Ｃ字状に形成される。ケース部材１４には、釣り糸の先端に取り付けられる仕掛けの水深などを表示する液晶ディスプレイ１６と複数の操作ボタン１７が設けられる。
【００１６】
ハンドル２は、リール本体１に回転自在に支持される。ハンドル２は、糸繰り出し方向の回転が図示しないワンウェイクラッチによって禁止され、糸巻取方向にだけ回転する。
【００１７】
スプール４は、第１側板１０ａと第２側板１０ｂの間に配置される。スプール４はスプール軸７に一体回転可能に連結される。スプール４は釣り糸を巻き付け可能な糸巻胴部４ａと、糸巻胴部４ａの両側に大径に一体形成された一対のフランジ部４ｂを有する。スプール軸７は、糸巻胴部４ａに一体回転可能に連結される。スプール軸７には、ハンドル２の糸巻取方向の回転が増速して伝達されるとともに、モータ５の糸巻取方向の回転が減速して伝達される。スプール軸７は、図３に示すように第１側板１０ａ、第２側板１０ｂおよび第１側カバー１１に軸受を介して回転自在に支持される。
【００１８】
調整部材６は、図２に示すように、ケース部材１４の第１側カバー１１に、一部が突出するように設けられる。調整部材６は、図３に示すように、ケース部材１４にハンドル２側に突出して形成された回動軸１４ａにねじ部材１８によって取り付けられる。調整部材６は、回動軸１４ａに回動可能に支持される。調整部材６は、概ね１２０度回動する。調整部材６は、図２および図３に示すように、ハンドル２側がハンドル２から離反する側よりも大径に形成された、合成樹脂製の円錐台形形状である。また、調整部材６は、図２に示すように、前方側が後方側よりもハンドル２から離反する方向に傾斜して移動する。したがって、回動軸１４ａは、先端が基端よりも前方に位置する。調整部材６は、ケース部材１４に支持される部分よりも幅広であり、径方向に突出する操作突起６ａを有する。図５に示すように調整部材６の背面には、調整部材６の回動位置を検出するための検出子としての一対の磁石２０が埋め込まれる。磁石２０に対向してケース部材１４には、ホール素子等の図示しない磁気センサが配置される。
【００１９】
クラッチ操作部材８は、図示しないクラッチ機構をオンオフするための部材である。クラッチ機構は、ハンドル２およびモータ５の回転をスプール４に伝達するクラッチオン状態と、ハンドル２およびモータ５の回転を遮断してスプール４を自由回転状態にするクラッチオフ状態を取り得る。クラッチ操作部材８は、スプール軸７回りに揺動可能である。図１および図２に示すように、クラッチ操作部材８は、クラッチオフ操作部８ａと、クラッチオン操作部８ｂと、を有する。使用者は、クラッチオフ操作部８ａを下方に向かって押すことによって、クラッチ機構はクラッチオフ状態となる。すなわち、クラッチオフ操作部８ａが下方に移動することによって、クラッチ機構は、クラッチオフ状態となる。また使用者は、クラッチオン操作部８ｂを前方に向かって押すことによって、クラッチ機構はクラッチオン状態となる。すなわち、クラッチオン操作部８ｂが前方に移動することによって、クラッチ機構は、クラッチオン状態となる。
【００２０】
図２に示すように、クラッチオフ操作部８ａは、スプール４の後方に配置されている。また、クラッチオフ操作部８ａは、第１側板１０ａと第２側板１０ｂとの間を延びている。クラッチオン操作部８ｂは、調整部材６に近接して配置されている。
【００２１】
したがって、クラッチオン操作部８ｂによるクラッチオン操作と、調整部材６によるモータ５の調整操作と、を迅速に連続して操作できる。
【００２２】
図４に示すように、モータ制御部９は、回路基板１５に搭載されたマイクロコンピュータによって構成される、モータ制御部９は、調整部材６の回動位置に応じてモータ５の出力を、ソフトウェアによって制御する。本実施形態では、モータ５は速度一定モードと張力一定モードとのいずれかによって制御される。速度一定モードでは、モータ制御部９は、スプール４の回転速度を、調整部材６の回動位置に応じて、たとえば３１段階のいずれかの速度に制御する。張力一定モードでは、モータ制御部９は、釣り糸に作用する張力を、調整部材６の回動位置に応じて、たとえば３１段階のいずれかの張力に制御する。
【００２３】
このような構成の電動リール１００では、調整部材６を回動させてモータ５の出力を調整する。このとき、調整部材６の前方側が後方側よりもハンドル２から離反する方向に傾斜して移動する。このため、調整部材６が、電動リール１００を握った手Ｈの親指Ｔの指先によって操作しやすい位置に配置され、小型の電動リール１００の調整部材６を、電動リール１００を握る手Ｈで操作しやすくなる。
【００２４】
しかも、調整部材６は、ハンドル２側がハンドル２から離反する側よりも大径に形成された円錐台形であるので、親指Ｔの指先が調整部材６に沿いやすくなる。このため、調整部材６を、電動リール１００を握る手Ｈでさらに操作しやすくなる。
【００２５】
<特徴>
上記実施形態は、下記のように表現可能である。
【００２６】
（Ａ）電動リール１００は、釣り糸を前方に繰り出す。電動リール１００は、リール本体１と、ハンドル２と、スプール４と、モータ５と、調整部材６と、モータ制御部９とを備える。リール本体１は、フレーム１０、第１側カバー１１及び第２側カバー１２、釣り竿装着部１３、並びにケース部材１４、を有する。フレーム１０は、第１側板１０ａ及び第２側板１０ｂを有する。第１側カバー１１及び第２側カバー１２は、第１側板１０ａ及び第２側板１０ｂの外側をそれぞれ覆う。釣り竿装着部１３は、フレーム１０に設けられる。ケース部材１４は、電気回路を形成する回路基板１５を収納し、フレーム１０の釣り竿装着部１３と離反する側に載置可能である。ハンドル２は、第１側カバー１１に回転自在に装着される。スプール４は、第１側板１０ａと第２側板１０ｂの間に回転可能に設けられる。モータ５は、リール本体１に設けられ、スプール４を回転駆動する。調整部材６は、ケース部材１４に支持され、ケース部材１４の第１側カバー１１側に、前方側が後方側よりもハンドル２から離反する方向に傾斜して移動する。モータ制御部９は、調整部材５８の移動によってモータ５の出力を調整する。
【００２７】
この電動リール１００では、調整部材６の前方側が後方側よりもハンドル２から離反する方向に傾斜して移動する。このため、調整部材６が、電動リール１００の調整部材６を、電動リール１００を握る手Ｈで操作しやすくなる。
【００２８】
（Ｂ）調整部材６は、ケース部材１４に回動可能に支持されてもよい。この場合には、回路基板１５を含む電気部品が搭載されるケース部材１４に調整部材６が回動可能に支持されるので、調整部材６の回転位相をケース部材１４内で検出可能である。
【００２９】
（Ｃ）調整部材６は、ハンドル２側がハンドル２から離反する側よりも大径に形成された円錐台形であってもよい。この場合には、調整部材６が、ハンドル２側が大径の円錐台形であるので、親指Ｔの指先が調整部材６に沿いやすくなる。このため、調整部材６を、電動リール１００を握る手Ｈでさらに操作しやすくなる。
【００３０】
（Ｄ）調整部材６は、ケース部材１４に支持される部分より幅の広い操作突起６ａを有してもよい。この場合には、傾斜して配置される調整部材６のスプール軸方向の長さが長くなるのを抑えるために、調整部材６の厚みを薄くしても、操作突起６ａは、調整部材６のケース部材１４に支持される部分の厚みよりも長くなる。このため、操作突起６ａを操作することによって、調整部材６を、電動リール１００を握る手Ｈでさらに操作しやすくなる。
【００３１】
＜変形例＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３２】
（ａ）上記実施形態では、調整部材６の形状を円錐台形にしたが、調整部材６の形状は、円板形状であってもよい。また、調整部材は、回動でなく、スライドや揺動するものであってもよい。
【００３３】
（ｂ）上記実施形態では、調整部材６がケース部材１４に一体形成された回動軸１４ａに支持されたが、本発明はこれに限定されない。回動軸はケース部材１４と別に設けられてもよい。また、調整部材６に軸部を一体で設け、ケース部材内に設けた第１凹状受部と、ケース部材の蓋部材に設けた第２凹状受部と、で軸部を挟み込んで支持してもよい。この場合は調整部材をねじ等で取り付ける必要がなくなる。
【符号の説明】
【００３４】
１    リール本体
２    ハンドル
４    スプール
５    モータ
６    調整部材
６ａ  操作突起
９    モータ制御部
１０    フレーム
１０ａ  第１側板
１０ｂ  第２側板
１１    第１側カバー
１２    第２側カバー
１４    ケース部材
１００    電動リール
【要約】
【課題】小型の電動リールの調整部材を、電動リールを握る手で操作しやすくする。
【解決手段】電動リール１００は、リール本体１と、ハンドル２と、スプール４と、モータ５と、調整部材６と、モータ制御部９とを備える。リール本体１は、フレーム１０、第１側カバー１１及び第２側カバー１２、釣り竿装着部１３、並びにケース部材１４、を有する。ケース部材１４は、フレーム１０の釣り竿装着部１３と離反する側に載置可能である。ハンドル２は、第１側カバー１１に回転自在に装着される。モータ５は、リール本体１に設けられ、スプール４を回転駆動する。調整部材６は、ケース部材１４に支持され、ケース部材１４の第１側カバー１１側に、前方側が後方側よりもハンドル２から離反する方向に傾斜して移動する。モータ制御部９は、調整部材５８の移動によってモータ５の出力を調整する。
【選択図】図２【図１】
0005805900.tif 000002
【図２】
0005805900.tif 000003
【図３】
0005805900.tif 000004
【図４】
0005805900.tif 000005
【図５】
0005805900.tif 000006